【誤訳訂正書】
【提出日】平成28年5月23日(2016.5.23)
【誤訳訂正１】
【訂正対象書類名】明細書
【訂正対象項目名】０００７
【訂正方法】変更
【訂正の内容】
【０００７】
薬物送達デバイス用の駆動機構は、リードスクリュー及びリードスクリューナット及び駆動部材を含み、それらは、軸方向及び反対の軸方向を規定する軸線と心合わせされる。リードスクリューとリードスクリューナットの間のカップリングは、少なくとも軸方向においてリードスクリューナットに対するリードスクリューのらせん運動を可能にする。リードスクリューは、駆動部材とカップリングされ、駆動部材がリードスクリューに対して軸方向に移動するとき、カップリングは、駆動部材に対してリードスクリューのらせん運動を発生させる。駆動部材がリードスクリューに対して反対の軸方向に移動するとき、カップリングは無効にされて、駆動部材に対するリードスクリューのラセン運動を阻止する。リードスクリューナットの投薬停止機能及び駆動部材の投薬停止機能は、相互作用し、それにより、駆動部材の特定端部位置に近づくとき、リードスクリューのらせん運動の発生を阻止する。
【誤訳訂正２】
【訂正対象書類名】明細書
【訂正対象項目名】００３８
【訂正方法】変更
【訂正の内容】
【００３８】
送達操作中、リードスクリュー５は、本体１に対して遠位方向にらせん状に動く。リードスクリュー５は、リードスクリュー５のねじ山６と係合するリードスクリューナット７により案内される。停止機能１７（以下に説明する図３に示す通り）は、投薬すべき固定用量が事前設定できる設定操作を可能にするリードスクリュー５のねじ山６において提供される。この目的のために、駆動部材８は、本体１に対して、及びリードスクリュー５に対して近位方向に引かれる。駆動部材８は、リードスクリュー５とカップリングする。図１で示す実施態様において、カップリングは、駆動部材８のねじ山１８及びリードスクリュー５の可撓性の案内機能１５で達成される。設定操作中、リードスクリュー５は、動かしてはいけない。従って、駆動部材８とリードスクリュー５の間の係合は、設定操作中、一時的に解除される。これは、駆動部材８のねじ山１８を無効にする可撓性の案内機能１５の変形により達成し得る。駆動部材８とリードスクリュー５の間の係合にも拘わらず、駆動部材８は、従って、回転することなしで動くことができ、その間、リードスクリュー５は、本体に対して静止して留まる。駆動部材８とリードスクリュー５の間の係合を無効
にすることは、中心軸４に向かって曲げることができる可撓性の案内機能１５により容易になる。本体１に対する駆動部材８の回転は、例えば、駆動部材８の外面の軸方向のねじ溝に係合する本体１の突出エレメントであり得る案内機能１０により阻止され得る。
【誤訳訂正３】
【訂正対象書類名】明細書
【訂正対象項目名】００３９
【訂正方法】変更
【訂正の内容】
【００３９】
駆動部材８が駆動部材８のねじ山１８のピッチに対応する距離を動いた後、リードスクリュー５の可撓性の案内機能１５は、駆動部材８のねじ山１８と再係合し、そして、使用者は駆動部材８を遠位方向に押し戻すことにより、リードスクリュー５を前進させることができる。リードスクリュー５の駆動部材８との係合を解除し、そして再係合することによるこの操作方法は、設定操作中、実質的に静止状態にあるリードスクリュー５に完全に依存する。設定中、リードスクリュー５を回転させ、又は軸方向に動かすべきなら、その結果、駆動部材８は、恐らく、リードスクリュー５と正しく再係合することなく、そしてその結果、不正確な用量精度をもたらすことになろう。従って、本体１に対してリードスクリュー５のらせん運動を案内するリードスクリューナット７は、少なくとも投薬操作中、本体１に回転方向にロックされ、そして、更にその上、リードスクリュー５は、回転が、薬物送達後及び新しい用量の設定前に得られるリードスクリュー５の位置で阻止されるような方法で、リードスクリュー５の回転に干渉する停止機能を備える。リードスクリュー５の回転は、その結果、リードスクリューナット７に対してロックされ、そしてリードスクリューナット７は、本体１に対して回転を阻止する。従って、駆動部材８が近位方向に引かれるとき、駆動部材８とリードスクリュー５の間の相対的直線運動が、駆動部材と静止リードスクリュー５の係合の無効化を引き起こし、そしてその結果、駆動部材８とリードスクリュー５の間の係合の解除を引き起こす。停止機能は、従って、好ましくは、少なくとも、リードスクリュー５のねじ山６の遠位側壁上に配置され、一方、ねじ山６は、円滑で、その近位側壁上でらせん構造を形成し得る。駆動部材８が遠位方向に押されるとき、リードスクリュー５のねじ山６に係合するリードスクリューナット７の案内手段は、ねじ山６の円滑な近位側壁と接触を続け、その結果、リードスクリューナット７の開口部を通して摺動するリードスクリュー５の円滑ならせん運動を可能にする。従って、停止機能は、投薬操作中、リードスクリューナット７に対するリードスクリュー５の相対運動に干渉しない。
【誤訳訂正４】
【訂正対象書類名】特許請求の範囲
【訂正対象項目名】全文
【訂正方法】変更
【訂正の内容】
【特許請求の範囲】
【請求項１】
薬物送達デバイス用の駆動機構であって：
−軸方向及び反対の軸方向を規定する軸線（４）に心合わせされた、可撓性の案内機能（１５）を有するリードスクリュー（５）、リードスクリューナット（７）及び、ねじ溝（１８）を有する駆動部材（８）、
−リードスクリューナット（７）に対して少なくとも軸方向にリードスクリュー（５）のらせん運動を可能にするリードスクリュー（５）とリードスクリューナット（７）の間のカップリング、
−駆動部材（８）のねじ溝（１８）とカップリングされるリードスクリュー（５）の可撓性の案内機能（１５）のカップリングが、駆動部材（８）がリードスクリュー（５）に対して軸方向に移動するとき、駆動部材（８）に対してリードスクリュー（５）のらせん
運動を発生させる、該リードスクリュー（５）の可撓性の案内機能（１５）、
−リードスクリューナット（７）の投薬停止機能（１９）、及び
−駆動部材（８）の投薬停止機能（２０）、
を含んでなり、
投薬停止機能（１９、２０）は、駆動部材（８）が特定の終了位置に接近したとき、相互作用し、そしてそれにより、リードスクリュー（５）のらせん運動の発生を阻止し、
ここで、投薬停止機能（１９、２０）は、軸線（４）に対して傾斜した対応する接触面（２２）を有し、駆動部材（８）の投薬停止機能（２０）は、直角三角形の形状を有し、前記直角三角形の斜辺が前記接触面（２２）の一つを形成し、そして、前記斜辺の角度は、駆動部材（８）のねじ溝（１８）のらせん角に合致する、
上記駆動機構。
【請求項２】
請求項１に記載の駆動機構であって、
投薬停止機能（１９、２０）が対応する端面（２３）を有し、それはリードスクリューナット（７）に対して少なくとも一方向の駆動部材（８）の回転を阻止する、上記駆動機構。
【請求項３】
請求項１又は２に記載の駆動機構であって、
リードスクリューナット（７）の投薬停止機能（１９）がプリズム又は切頭プリズムの形状を有する、上記駆動機構。
【請求項４】
請求項１〜３のいずれか１項に記載の駆動機構であって、
ねじ溝（１８）は、駆動部材（８）に対するリードスクリュー（５）のらせん運動と同じピッチを有する、上記駆動機構。
【請求項５】
請求項１〜４のいずれか１項に記載の駆動機構であって、
駆動部材（８）及びリードスクリューナット（７）が回転方向にロックされる、上記駆動機構。
【請求項６】
請求項１〜５のいずれか１項に記載の駆動機構であって、
リードスクリューナット（７）の投薬停止機能（１９）が、リードスクリューナット（７）の一体部材として形成され、そして
駆動部材（８）の投薬停止機能（２０）が、駆動部材（８）の一体部材として形成される、上記駆動機構。
【請求項７】
薬物送達デバイスであって、
−請求項１〜６のいずれか１項に記載の駆動機構、及び
−軸線（４）の方向に相隔たる遠位端（２）及び近位端（３）を有する本体（１）、
を含んでなる、上記薬物送達デバイス。